(57)【要約】　　　（修正有）【課題】ＩＣレコーダ等の音声記録装置と通信可能な音声データ処理装置においても、音声メモの自動再生機能を利用することにより容易にスケジュール管理を行うことができ、また、複数の音声メモを処理装置上のアプリケーション上において視覚的に認識しやすい形で管理できるようにすること。【解決手段】ＩＣレコーダ２１から転送された音声データの中から、音声データ特定情報及び再生予定日時情報を取得する機能と、これらの音声データ特定情報と再生予定日時情報とを関連付けて再生予定リストを生成する機能と、カレンダ表示を行うと共に、生成した再生リストに基づいて、再生予定日時が設定されている日時に該当するカレンダ表示上の所定位置に再生予定の音声データがあることを示す所定の表示を行う機能とを有するアプリケーションをコンピュータ２２にインストールする。【選択図】　　図１
2004094113.tif 000002
【特許請求の範囲】
【請求項１】
再生予定日時が到来した場合に、その再生予定日時に該当する音声データを自動的に再生する音声データ処理装置において、
複数の音声データを格納可能な所定のフォルダを有する記録媒体と、
上記記録媒体内の上記所定のフォルダに格納された上記複数の音声データの中から、一つの音声データを特定する音声データ特定情報を取得する音声データ特定情報取得手段と、
上記特定された一つの音声データのヘッダ領域に記録されている再生予定日時情報を取得する再生予定日時取得手段と、
上記音声データ情報取得手段によって取得した音声データ特定情報と上記再生予定日時取得手段によって取得した再生予定日時情報とを関連付けて再生予定リストを生成する再生予定リスト生成手段と、
カレンダ表示を行うと共に、上記再生予定リスト生成手段によって生成した再生リストに基づいて、上記再生予定日時が設定されている日時に該当する上記カレンダ表示上の所定位置に再生予定の音声データがあることを示す所定の表示を行う表示手段と、
を具備することを特徴とする音声データ処理装置。
【請求項２】
上記音声データのユーザ識別情報を取得するユーザ識別情報取得手段をさらに具備し、
上記再生リスト生成手段は、上記ユーザ識別情報取得手段によって取得したユーザ識別情報も含めて上記再生予定リストを生成し、
上記表示手段は、カレンダ表示を行うと共に、上記所定の表示を行う際に、上記ユーザ識別情報に基づいてそれぞれ異なる表示を行うことが可能であることを特徴とする請求項１に記載の音声データ処理装置。
【請求項３】
コンピュータを制御して、再生予定日時が到来した場合に、記録媒体内の所定のフォルダに格納された所定の音声データを自動的に再生させる音声データ処理プログラムにおいて、上記音声データ処理プログラムはコンピュータに、
上記記録媒体内の所定のフォルダに格納された複数の音声データの中から、一つの音声データを特定する音声データ特定情報を取得させる機能と、
上記特定された一つの音声データのヘッダ領域に記録されている再生予定日時情報を取得させる機能と、
上記取得させた音声データ特定情報と上記再生予定日時情報とを関連付けて再生予定リストを生成させる機能と、
カレンダ表示を行わせると共に、上記再生予定リストに基づいて、再生予定日時が設定されている日時に該当する上記カレンダ表示上の所定位置に再生予定の音声データがあることを示す所定の表示を行わせる機能と、
を実現させることを特徴とする音声データ処理プログラム。
【発明の詳細な説明】
【０００１】
【発明の属する技術分野】
本発明は、音声データ処理装置及び音声データ処理プログラムに関する。
【０００２】
【従来の技術】
従来、ＩＣレコーダに記録した音声メモを自動再生する技術がある（例えば、特許文献１参照。）。この技術では、予めスケジュールなどを音声メモとして記録し、さらに、この音声メモの再生日時をＩＣレコーダに記録しておくことにより、記録しておいた日時になった場合に、記録しておいた音声メモが自動再生される。つまり、この技術によれば、スケジュールの記録と記録したスケジュールの確認とを同一のＩＣレコーダ上で実現することができる。
【０００３】
【特許文献１】
特開２０００−２５９１９４号公報
【０００４】
【発明が解決しようとする課題】
上記公報に開示された技術において再生日時が指定された音声メモは、再生日時が指定されていない音声メモとは区別されてＩＣレコーダ内のフラッシュメモリなどの記録媒体に記録される。そして、記録媒体に記録された音声メモはＩＣレコーダ内のＣＰＵ等によって自動再生等の制御がなされる。このとき、ユーザによって指定された再生日時に関する情報はＩＣレコーダのＲＡＭ内に記憶され、音声メモのデータ自体には再生日時に関する情報が記録されることはない。
【０００５】
また、音声メモを再生するためのアプリケーションソフト（以後、アプリケーションと称する）がインストールされたパーソナルコンピュータ（以後、ＰＣと称する）等の音声データ処理装置とＩＣレコーダとを通信接続して、ＩＣレコーダで記録した音声メモをＰＣ上においても再生することは従来から広く行われている。しかし、前述したように上記公報の技術では音声メモのデータ自体に再生日時に関する情報が記録されないので、転送した音声メモに対し、ＰＣ上でも前述したような自動再生機能を利用するためには、ＰＣ上のアプリケーションにもそのような音声メモの自動再生機能を設けておくことは勿論、ＰＣ上において再び、自動再生日時に関する情報を記録する必要が生じる。
【０００６】
さらに、ＰＣ上のアプリケーションにおいて複数の音声メモを管理する際には、アプリケーションに再生日時などの情報を管理する手段があることが好ましい。
【０００７】
本発明は、上記の事情に鑑みてなされたもので、ＩＣレコーダ等の音声記録装置と通信可能な音声データ処理装置においても、音声メモの自動再生機能を利用することにより容易にスケジュール管理を行うことができ、また、複数の音声メモを処理装置上のアプリケーション上において視覚的に認識しやすい形で管理することもできる音声データ処理装置及び音声データ処理プログラムを提供することを目的とする。
【０００８】
【課題を解決するための手段】
上記の目的を達成するために、本発明による音声データ処理装置は、再生予定日時が到来した場合に、その再生予定日時に該当する音声データを自動的に再生する音声データ処理装置において、複数の音声データを格納可能な所定のフォルダを有する記録媒体と、上記記録媒体内の上記所定のフォルダに格納された上記複数の音声データの中から、一つの音声データを特定する音声データ特定情報を取得する音声データ特定情報取得手段と、上記特定された一つの音声データのヘッダ領域に記録されている再生予定日時情報を取得する再生予定日時取得手段と、上記音声データ情報取得手段によって取得した音声データ特定情報と上記再生予定日時取得手段によって取得した再生予定日時情報とを関連付けて再生予定リストを生成する再生予定リスト生成手段と、カレンダ表示を行うと共に、上記再生予定リスト生成手段によって生成した再生リストに基づいて、上記再生予定日時が設定されている日時に該当する上記カレンダ表示上の所定位置に再生予定の音声データがあることを示す所定の表示を行う表示手段とを具備することを特徴とする。
【０００９】
また、上記の目的を達成するために、本発明による音声データ処理プログラムは、コンピュータを制御して、再生予定日時が到来した場合に、記録媒体内の所定のフォルダに格納された所定の音声データを自動的に再生させる音声データ処理プログラムにおいて、上記音声データ処理プログラムはコンピュータに、上記記録媒体内の所定のフォルダに格納された複数の音声データの中から、一つの音声データを特定する音声データ特定情報を取得させる機能と、上記特定された一つの音声データのヘッダ領域に記録されている再生予定日時情報を取得させる機能と、上記取得させた音声データ特定情報と上記再生予定日時情報とを関連付けて再生予定リストを生成させる機能と、カレンダ表示を行わせると共に、上記再生予定リストに基づいて、再生予定日時が設定されている日時に該当する上記カレンダ表示上の所定位置に再生予定の音声データがあることを示す所定の表示を行わせる機能とを実現させることを特徴とする。
【００１０】
【発明の実施の形態】
以下、本発明の一実施の形態を図面を参照して説明する。
図１（Ａ）は、本発明の一実施の形態に係る音声データ処理装置へ音声データを転送する音声記録装置（ＩＣレコーダ）の構成図である。
【００１１】
まず、音声記録時の信号の流れに従って、ＩＣレコーダの構成及び動作を説明する。
マイクロホン（ＭＩＣ）１は、外部から入力された音声を電気信号に変換して増幅器（ＡＭＰ）２に出力する。ＡＭＰ２では、入力された信号を増幅して、この増幅信号を低域通過フィルタ（ＬＰＦ）３に出力する。次に、ＬＰＦ３では入力された信号から不要な高周波ノイズを除去した後、この信号をアナログ／デジタル（Ａ／Ｄ）変換器４に出力する。そして、Ａ／Ｄ変換器４は、入力された信号をデジタル化してデジタル信号処理部５に出力する。
【００１２】
デジタル信号処理部５では、入力されたデジタル音声データに対して前述のデジタル化の際に生じた量子化ノイズの除去を行った後、信号の符号化（圧縮変換）を行って、システム制御部６に出力する。システム制御部６は入力されたデジタル音声データを音声ファイルとして記録媒体７に記録させる。なお、この音声ファイルは、ユーザによって指定されたフォルダ内に格納することができる。これにより、ユーザは自身が記録した音声ファイルをＩＣレコーダ上で管理することができる。
【００１３】
次に、音声再生時の信号の流れに従って説明する。
記録した音声は、前述したようにして音声ファイルとして記録媒体７に記録されている。システム制御部６は、記録媒体７から音声ファイルを読み出して、デジタル信号処理部５に出力する。デジタル信号処理部５では、音声ファイルの復号化（伸長変換）を行った後、その信号をデジタル／アナログ（Ｄ／Ａ）変換器８に出力する。Ｄ／Ａ変換器８では、デジタル信号として読み出された音声データをアナログ信号に変換し、ＬＰＦ９に出力する。そして、ＬＰＦ９において高周波ノイズを取り除いた信号をＡＭＰ１０で増幅した後、スピーカ１１から出力することにより、音声として人間の耳に聞こえるようになる。
【００１４】
また、ＩＣレコーダにはＩＣレコーダの動作モード、動作状況、記録された音声データの録音・再生に関する時間、時計表示、電池残量表示、メモリ残量表示、警告等の各種情報表示を行う表示器１３が設けられている。システム制御部６は駆動回路１２を制御して表示器１３にこれらの情報を表示させる。
【００１５】
更に、ＩＣレコーダは外部通信回路１４を有している。この外部通信回路１４はＩＣレコーダとＰＣ等の処理装置との通信の際にその通信制御を行う回路である。なお、処理装置は特許請求の範囲に記載の「音声データ処理装置」に相当する。
【００１６】
図１（Ｂ）にＩＣレコーダ２１とＰＣ２２とを接続することにより構成される音声データのスケジュール管理システムの外観を示す。なお、このＰＣ２２は、少なくとも特許請求の範囲に記載の「記録媒体」を含み、さらに「音声データ特定情報取得手段」、「再生予定日時取得手段」、「再生予定リスト生成手段」及び「表示手段」の機能を含むものとする。
【００１７】
つまり、ＩＣレコーダ２１側の図示しない接続端子とＰＣ２２側の図示しない接続端子とを接続ケーブル２３によって接続することにより、記録媒体７に記録された音声ファイルをＰＣ２２に転送可能となる。なお、ＩＣレコーダ２１とＰＣ２２との通信インターフェイスには、例えば、ＵＳＢ（Ｕｎｉｖｅｒｓａｌ　Ｓｅｒｉａｌ　Ｂｕｓ）等が使用される。また、ＩＣレコーダ２１とＰＣ２２とが接続されている間は、ユーザによる操作があった場合でもＩＣレコーダ２１が動作しないように、ＩＣレコーダ２１側のシステム制御部６によって制御される。
【００１８】
なお、ＩＣレコーダ２１とＰＣ２２との通信は、記録媒体７に記録された音声ファイルをＰＣ２２に転送する以外にも、デジタル信号処理部５からＰＣ２２に直接音声ファイルを転送したり、ＰＣ２２内で圧縮したデータをＩＣレコーダ２１のデジタル信号処理部５に直接転送したりすることも可能であるが、ここではその詳細な説明については省略する。
【００１９】
また、ＩＣレコーダ２１には、メニュースイッチ（ＭＥＮＵ）１５ａ、フォルダスイッチ（ＦＯＬＤＥＲ）１５ｂ、再生スイッチ（ＰＬＡＹ）１５ｃ、録音スイッチ（ＲＥＣ）１５ｄ、早送りスイッチ（ＦＦ）１５ｅ、早戻しスイッチ（ＲＥＷ）１５ｆ、及び消去スイッチ（ＥＲＡＳＥ）１５ｇなどのスイッチが設けられている。ＩＣレコーダ２１内部のシステム制御部６は、これらのスイッチの操作状態を判定して、その状態に対応した動作を開始させる。
【００２０】
次に、図２を参照して、各スイッチの操作状態に対応したＩＣレコーダ２１の動作について説明する。
システム制御部６は、まず、図示しないＩＣレコーダ２１の電源がＯＮになったか否かを判定する（ステップＳ１）。電源がＯＮでないと判定した場合には、本フローチャートの動作を終了する。一方、電源がＯＮになったと判定した場合には、システムの初期設定を行う（ステップＳ２）。この初期設定により、ＩＣレコーダ２１は前述の各スイッチの操作を受け付ける状態になる。
【００２１】
初期設定が終了した後は、現在の日時が何れかの音声ファイルの自動再生を行う日時（以後、この日時をスケジュール再生日時と称する）であるか否かを判定する（ステップＳ３）。現在の日時が何れかの音声ファイルのスケジュール再生を行う日時であると判定した場合には、当該音声ファイルを自動再生するか否かを判定する（ステップＳ４）。自動再生を意味するスケジュールフラグがＯＮになっていると判定した場合には、該当する音声ファイルの自動再生を行った後（ステップＳ５）、ステップＳ６に進む。一方、現在の日時が音声ファイルの自動再生スケジュール再生日時でないと判定した場合又は音声ファイルの自動再生をしないと判定した場合には、そのままステップＳ６に進む。なお、スケジュール再生日時は特許請求の範囲に記載の「再生予定日時情報」に相当する。また、このスケジュール再生日時については後で詳述する。
【００２２】
次に、ＭＥＮＵ１５ａがＯＮされたか否かを判定する（ステップＳ６）。ＭＥＮＵ１５ａが操作されたと判定した場合には、表示器１３に、図３に示すメニュー選択表示画面の表示を行って、ＩＣレコーダ２１に関する各種設定が可能なモードとする（ステップＳ７）。ＩＣレコーダ２１に関する設定が終了した後には、ステップＳ８に進む。一方、ＭＥＮＵ１５ａがＯＮされていないと判定した場合には、メニュー選択表示画面の表示を行わずに、そのままステップＳ８に進む。なお、このメニュー選択表示画面における動作については後で詳述する。
【００２３】
次に、ＦＯＬＤＥＲ１５ｂがＯＮされたか否かを判定する（ステップＳ８）。ＦＯＬＤＥＲ１５ｂがＯＮされたと判定した場合には、表示器１３に表示されるフォルダの切り換えを行った後（ステップＳ９）、ステップＳ１０に進む。一方、ＦＯＬＤＥＲ１５ｂがＯＮされていないと判定した場合には、フォルダの切り換えを行わずに、そのままステップＳ１０に進む。
【００２４】
次に、ＰＬＡＹ１５ｃがＯＮされたか否かを判定する（ステップＳ１０）。ＰＬＡＹ１５ｃがＯＮされたと判定した場合には、現在選択されている音声ファイルの再生を行う（ステップＳ１１）。その後、ステップＳ１２に進む。一方、ＰＬＡＹ１５ｃがＯＮされていないと判定した場合には、音声ファイルの再生を開始せずに、そのままステップＳ１２に進む。
【００２５】
次に、ＲＥＣ１５ｄがＯＮされたか否かを判定する（ステップＳ１２）。ＲＥＣ１５ｄがＯＮされたと判定した場合には、ＭＩＣ１を介して入力された音声を記録媒体７に記録する（ステップＳ１３）。その後、ステップＳ１４に進む。なお、音声を記録した後、記録した音声ファイルには自動的にファイル名がつけられる。一方、ＲＥＣ１５ｄがＯＮされていないと判定した場合には、音声の記録を開始せずに、そのままステップＳ１４に進む。
【００２６】
次に、ＦＦ１５ｅがＯＮされたか否かを判定する（ステップＳ１４）。ＦＦ１５ｅがＯＮされたと判定した場合には、音声ファイルの早送りなどの処理を行う（ステップＳ１５）。その後、ステップＳ１６に進む。一方、ＦＦ１５ｅが操作されていないと判定した場合には、そのままステップＳ１６に進む。
【００２７】
次に、ＲＥＷ１５ｆがＯＮされたか否かを判定する（ステップＳ１６）。ＲＥＷ１５ｆがＯＮされたと判定した場合には、音声ファイルの早戻しなどの処理を行う（ステップＳ１７）。その後、ステップＳ１８に進む。一方、ＲＥＷ１５ｆがＯＮされていないと判定した場合には、そのまま、ステップＳ１８に進む。
【００２８】
なお、上記ステップＳ１１の再生、上記ステップＳ１３の録音、上記ステップＳ１５の早送り、及び上記ステップＳ１７の早戻しの動作中に図示しない停止スイッチがＯＮされた場合には、それぞれの動作を停止する。
【００２９】
次に、ＥＲＡＳＥ１５ｇがＯＮされたか否かを判定する（ステップＳ１８）。ＥＲＡＳＥ１５ｇがＯＮされたと判定した場合には、現在選択されている音声ファイルの消去を行う（ステップＳ１９）。その後、ステップＳ２０に進む。一方、ＥＲＡＳＥ１５ｇがＯＮされていないと判定した場合には、消去動作を行わずに、そのままステップＳ２０に進む。
【００３０】
次に、ＩＣレコーダ２１とＰＣ２２とが通信接続されたか否かを判定する（ステップＳ２０）。ＩＣレコーダ２１とＰＣ２２とが通信接続されたと判定した場合には、通信中においてＩＣレコーダ２１の動作を禁止する、即ち、ＩＣレコーダ２１をリモート状態にする、などの通信処理を行った後（ステップＳ２１）、上記ステップＳ２に戻る。一方、ＩＣレコーダ２１とＰＣ２２とが通信接続されていないと判定した場合には、そのまま上記ステップＳ２に戻る。
なお、本フローチャートの動作中にＩＣレコーダ２１の電源がＯＦＦされた場合には、そのまま本フローチャートの動作を終了する。
【００３１】
次に上記ステップＳ７におけるメニュー選択表示画面における動作について説明する。前述したように、上記ステップＳ６においてＭＥＮＵ１５ａがＯＮされたと判定された場合には、上記ステップＳ７において、システム制御部６は図３に示すようなメニュー選択表示画面３０を表示器１３に表示させる。
【００３２】
このメニュー選択表示画面３０では、録音モード（通常／長時間）の設定、音声ファイルのスケジュール再生日時を設定するスケジュール再生、音声ファイルを誤って消去してしまわないようにロックする誤消去ロック、時計設定、及び設定した事項の初期化などの項目が表示される。そして、現在選択されている項目にはカーソル３１が合わせられている。このカーソル３１は、例えば反転表示で表示されており、ユーザが現在選択している項目を視認しやすいようになっている。
【００３３】
この状態で、例えば、ＦＦ１５ｅ又はＲＥＷ１５ｆが操作された場合にはカーソル３１が順／逆順に移動する。これにより、ユーザは所望の項目を選択できる。音声ファイルのスケジュール再生日時を設定する場合には、自動再生させたい音声ファイルが予め選択されている状態でＭＥＮＵ１５ａを操作して、メニュー選択表示画面３０を表示させる。次に、画面内に表示されている「スケジュール再生」の項目にカーソル３１を合わせ、再度ＭＥＮＵ１５ａを操作する。すると、スケジュール再生を行うか否かを設定する図示しない画面が表示される。ここで、スケジュール再生を行うように設定すると、この操作を受けたシステム制御部６は、図４に示すスケジュール設定表示画面４０を表示器１３に表示する。
【００３４】
図４に示すスケジュール設定表示画面４０では、例えば、現在の日時がデフォルトとして表示されるなどして仮のスケジュール日時が表示されている。このスケジュール設定表示画面４０において、ユーザは、「年・月」、「日」、「時」、及び「分」の数値をそれぞれ変更可能である。このとき、現在変更可能となっている部分については点滅表示されるなどしてユーザが視認しやすいようになっている。
【００３５】
「年・月」の部分が点滅表示されている状態においてＦＦ１５ｅ又はＲＥＷ１５ｆが操作された場合には、まず、「月」に相当する部分の数値がそれぞれ順／逆順に変更される。なお、「年」の数値は「月」の数値の変更に連動して変更されるものである。ユーザは、「年・月」の数字が所望の数値になった場合にＰＬＡＹ１５ｃを操作する。この操作を受けたシステム制御部６は、「年・月」をその数値に決定し、続いて「日」を点滅表示させ、「日」の数値を変更可能な状態とする。「日」の設定も同様に行うことができ、以後、「時」、「分」の数値についても同様に設定できる。
【００３６】
「分」までの設定が終了した場合には、図示は省略するが、スケジュール再生日時の設定後には、設定した日時が来た場合に音声ファイルの自動再生を行うか否かを設定する画面になる。ここで、音声ファイルの自動再生をＯＮにしておけば、その音声ファイルは設定された日時が来ると自動的に再生されることになる。
【００３７】
さらには、音声の記録者を示すユーザ名やそのスケジュールの重要度、そのファイルに関するユーザのコメントなどを設定できるようにしてもよい。
【００３８】
以上の設定が終了すると、スケジュール設定がなされたものとして現在日時や選択されている音声ファイルの情報等が表示される画面（以後、初期画面と称する）に戻る。なお、以後の説明では、スケジュール再生日時の設定がなされた音声ファイルを通常の音声ファイルとは区別して「スケジュールファイル」と称する。
【００３９】
図５に初期画面の表示例を示す。この初期画面５０では電池残量や現在日時、現在選択されている音声ファイルなどの情報が表示される。ここで、選択されている音声ファイルがスケジュールファイルであった場合には、図中において「ＣＡ」で示すカレンダマーク５１が表示される。これによりユーザは選択した音声ファイルがスケジュール再生日時の設定されたスケジュールファイルであることを容易に知ることができる。
【００４０】
次に、図６を参照して、スケジュールファイルのデータ構造例について説明する。
記録媒体７に記録されたスケジュールファイルは、音声データが記録される音声データ部（図では１０２４番地以降）と、ファイル名・録音日時情報・音質情報などに関する情報が記録されるヘッダ部（図では０番地〜１０２３番地）とで構成されている。そして、前述したスケジュール再生日時等の情報（以後、スケジュール情報と称する）は、音声ファイルのヘッダ部の未定義領域に記録される。このスケジュール情報が記録されていないファイルは通常の音声ファイルとして認識されることになる。
【００４１】
なお、本一実施の形態では、ファイルのヘッダ構造に音声を高圧縮できるＤＳＳ（Ｄｉｇｉｔａｌ　Ｓｐｅｅｃｈ　Ｓｔａｎｄａｒｄ）形式のヘッダ構造を採用し、ＤＳＳヘッダの未定義領域（図では８９８番地〜９１１番地）にスケジュール情報を新たに記述することでスケジュールファイルを構成する。ここで、スケジュール情報は、例えば、前述の「スケジュール再生日時」や、「重要度」、「スケジュールフラグ」などの情報を含む。さらに、本一実施の形態では、ＤＳＳヘッダ部の７９８番地〜９１１番地をスケジュール情報用の領域としているが、未定義の領域であれば、前述した領域以外の領域をスケジュール情報用の領域としてもよい。
【００４２】
「スケジュール再生日時」は前述したようにして設定した音声ファイルの自動再生日時に関する情報である。なお、例では９００番地〜９１１番地の「ＳＣＨＥＤＵＬＥ＿ＤＡＴＥ」に記録される。つまり、９００番地〜９０５番地には年月日情報が、９０６番地〜９１１番地には時刻情報が記録される。ここで、時刻情報に関しては秒情報も記録できるようになっているが、秒情報も変更できるようにすると処理が複雑になり、また、後に詳述するアプリケーションソフト上では秒情報を表示する必要がないので秒情報に関しては常に「００」が記録されるようにしておく。
「重要度」は録音したスケジュールファイルの重要性を０〜９の数値で１０段階に分けて記録可能である。なお、例では、８９９番地の「ＳＣＨＥＤＵＬＥ＿ＰＲＩＯＲＩＴＹ」に重要度が記録される。
「スケジュールフラグ」は設定したスケジュール再生日時がきた場合に、実際に音声ファイルを自動再生するか否かを設定しておくためのフラグである。なお、例では、８９８番地の「ＳＣＨＥＤＵＬＥ＿ＯＮＯＦＦ」に自動再生のＯＮ（１）／ＯＦＦ（０）が記録される。
ＩＣレコーダ２１によって音声の記録がなされた場合には、スケジュール情報等を記録するヘッダ部用の情報領域が確保される。そして、この情報領域内の未定義部分にスケジュール情報を記述することで音声データと共にスケジュールファイルを構成する。このようにしてスケジュールファイルを構成することにより、スケジュール情報以外のファイル情報についても同様のヘッダ情報として後に詳述するスケジュールデータベース上で活用することができる。つまり、ＰＣ２２においては、ＩＣレコーダ２１から音声ファイル又はスケジュールファイルが転送されてきた場合に、転送されてきたファイルのヘッダ部に記録された情報をファイル情報として読み込むことによりファイルの各種データ処理を行う。
【００４３】
次に、図７を参照してＩＣレコーダからＰＣに転送されてきたスケジュールファイルに対して、ＰＣ内のアプリケーション上でなされる処理について説明する。なお、このアプリケーションは本発明の一実施の形態に係る音声データ処理プログラムの機能を含むものである。また、このアプリケーションは、前述の機能のほかにも音声ファイルの再生機能や音声ファイルの編集機能などの機能を持つが、それらの機能についての詳細は省略する。
ＰＣ２２のアプリケーションはＩＣレコーダ２１から音声データを含む音声ファイルが転送されてきたか否かを判定する（ステップＳ３１）。音声ファイルが転送されてきていないと判定した場合には、本フローチャートの処理を終了し、音声ファイルの再生等の機能が使用できる通常の状態に戻る。
【００４４】
一方、ＩＣレコーダ２１からＰＣ２２に音声ファイルが転送されてきたと判定した場合には、転送された音声ファイルをＰＣ２２の所定フォルダに格納する（ステップＳ３２）。なお、この所定フォルダについては後に詳述する。
【００４５】
次に、この転送されてきた音声ファイルのヘッダ情報を読み取って（ステップＳ３３）、この音声ファイルが、スケジュール再生日時が設定されているスケジュールファイルであるか否かを判定する（ステップＳ３４）。スケジュールファイルであると判定した場合には、そのスケジュールファイルからスケジュール再生日時や重要度などのスケジュール情報を抽出する（ステップＳ３５）。このとき、スケジュールファイル内にユーザ名（図６の１２〜２７番地の「ＡＵＴＨＯＲ＿ＩＤ」）やコメント（図６の７９８〜８９７番地の「ＮＯＴＥＳ」）などが存在している場合には、それらの情報も抽出するようにしてもよい。スケジュール情報などの情報を抽出した後は、その抽出した情報に基づいて図８に示すようなスケジュールデータベースを作成する（ステップＳ３６）。既に、スケジュールデータベースが存在しているときには、既存のスケジュールデータベースを更新する。
【００４６】
ＩＣレコーダ２１からＰＣ２２に音声ファイルを転送する際には、ＩＣレコーダ２１で与えられたファイル名がそのままＰＣ２２でも用いられる。または、ＰＣ２２内で認識できるファイル名を新たに作成してもよい。図８に示すスケジュールデータベースは、このファイル名を主要素として構成される。なお、このファイル名は特許請求の範囲に記載の「音声データ特定情報」に相当する。また、転送されてきたスケジュールファイルに、ユーザ名やユーザ毎のコメントなど、スケジュール情報以外の情報が記録されている場合には、その情報をデータベースの情報に加えてもよい。そして、アプリケーションは、このスケジュールデータベースに基づいて図９，図１０で説明するカレンダ表示上にスケジュールファイルを表示させる。なお、このスケジュールデータベースは特許請求の範囲に記載の「再生予定リスト」に相当する。
【００４７】
上記ステップＳ３６でスケジュールデータベースを作成した後は、このスケジュールデータベースの内容に基づいてスケジュールファイルをアプリケーションの表示画面上に表示する。または、上記ステップＳ３４で転送されてきた音声ファイルがスケジュールファイルでないと判定した場合には、スケジュールデータベースを作成せずに、その音声ファイルをアプリケーションの表示画面上にアイコン表示もしくはリスト表示する（ステップＳ３７）。なお、このアイコン表示もしくはリスト表示スケジュールファイルと音声ファイルとで別の表示をするようにしてユーザが識別しやすいようにしてもよい。
スケジュールファイルまたは音声ファイルを表示画面上にアイコン表示もしくはリスト表示した後は、上記ステップＳ３１に戻る。
【００４８】
スケジュールファイルを管理するアプリケーションは、例えば、図９，図１０のような表示画面８０を有する。そして、この表示画面８０上において各種処理が行われる。なお、図９，図１０の例はＷｉｎｄｏｗｓ（登録商標）　ＯＳの場合である。
【００４９】
フォルダビュー８１には音声ファイルやスケジュールファイルが格納されているフォルダが階層表示される。ここで、「フォルダＡ」又は「フォルダＢ」を選択した場合には、選択したフォルダ内に格納されている音声ファイル及びスケジュールファイルが全てリストビュー８２に表示されると共にカレンダビュー８３に選択したフォルダ内に格納されているスケジュールファイルがアイコン表示される。
リストビュー８２には選択されたフォルダ内に格納されているファイルがリスト表示され、ユーザは表示されている音声ファイル又はスケジュールファイルを任意に選択することができる。
また、フォルダビュー８１において、「カレンダーフォルダ」が選択された場合には図１０に示すようにカレンダビュー８３が拡大表示されると共にカレンダビュー８３上で現在表示されている月に再生される予定の全てのスケジュールファイルが表示される。カレンダビュー８３上に表示されているスケジュールファイルが選択された場合には、そのスケジュールファイルの再生予定時刻及びそのスケジュールファイルに関する情報が表示される。
デバイスビュー８４に表示されているＩＣレコーダのアイコンをクリックした場合には、現在接続されているＩＣレコーダのフォルダが表示される。
再生コントロール部８５では、音声ファイルの再生、早送り、早戻しといった操作を行うことができる。
また、メニューバー８６には本アプリケーション上で操作できるコマンドが用意されており、ユーザは目的にあったコマンドカテゴリを選択して目的にあった操作を実行させることができる。
更に、ツールバー８７には頻繁に使用されるコマンドがアイコン化されて用意されており、ユーザは目的にあった操作を素早く選択できる。なお、図９では、カレンダイコン８８ａ及びスケジュール設定アイコン８９以外のアイコンについての図示を省略している。カレンダイコン８８ａが選択された場合にはカレンダイコン８８ａが図１０のようなリストアイコン８８ｂに変化し、カレンダビュー８３が拡大表示される。また、この状態でリストアイコン８８ｂが選択された場合には、リストアイコン８８ｂがカレンダイコン８８ａに変化してリストビュー８２が表示される。
【００５０】
なお、このアプリケーションでは複数のＩＣレコーダからのデータを取り込んだり、ネットワーク上のサーバに保存されている音声ファイルを取り込んだりすることにより、複数のユーザにより作成された音声ファイルを表示することもできる。このとき、音声ファイルを示すアイコンは色や形状などをユーザ毎に個別に設定でき、カレンダビュー８３上の何月何日に、誰のスケジュールが入っているのかを視覚的に確認できるようにしておくことが好ましい。また、カレンダ上に表示されているスケジュールファイルのアイコンが選択された場合には、リストビュー８２に選択されたスケジュールファイルのスケジュール再生日時などの情報が表示される。
【００５１】
スケジュール設定アイコン８９が選択された場合には、図１０に示すダイアログ表示９１を行って音声ファイルのスケジュール再生日時が可能な状態とする。なお、この図１１のダイアログ表示９１は、図１０に示す、マウスを右クリックすることにより現れるポップアップメニュー９０から選択することでも表示させることができる。
【００５２】
次に、図１１を参照して、本アプリケーションにおける音声ファイルのスケジュール再生日時の設定について説明する。
スケジュール再生日時が設定されていない音声ファイルにスケジュール再生日時の設定を行う場合や既にスケジュール再生日時の設定がなされているスケジュールファイルの設定内容を変更する場合には、スケジュール再生日時が該当するファイルを選択している状態で、図１１のダイアログ表示９１を表示させる。このダイアログ表示９１上で、ユーザはスケジュールファイルのヘッダ部に記録されたスケジュール情報を編集することができる。日付の編集はダイアログ表示９１に表示されているカレンダ９２から直接を選択してもよいし、ダイアログ表示９１の空欄９３に直接数字を入力してもよい。
【００５３】
いずれかの方法によって、スケジュール再生日時が空欄９３に入力され、ＯＫボタン９４が選択された場合には、選択されているファイルのヘッダ部に記録されたスケジュール情報が更新される。このとき、アプリケーション中のデータベースの内容も更新される。これによりアプリケーションに音声ファイルが追加されたり、音声ファイルの情報が書き換えられたりした場合でも、全ての音声ファイルに対するスケジュール再生日時情報を管理することができ、また、カレンダビュー８３上にはスケジュールファイルを最新の情報で表示させることができる。なお、図中のキャンセルボタン９５はダイアログ表示９１内に記入された内容を無効にしてスケジュール再生日時のキャンセルを行う場合に操作する。
【００５４】
なお、スケジュール再生日時が指定されたスケジュールファイルは指定した日時になった場合に自動再生されることになるが、このとき待機用のダイアログを表示させて実際に音声を再生するか否かをユーザが選択できるようにしてもよい。また、このアプリケーションをタスクバーに常駐させておくことにより、アプリケーションを実行せずとも音声が自動再生されるようにしてもよい。
【００５５】
以上一実施の形態に基づいて本発明を説明したが、本発明は前述した一実施の形態に限定されるものではなく、本発明の要旨の範囲内で種々の変形や応用が可能なことは勿論である。
【００５６】
【発明の効果】
以上詳述したように、本発明によれば、ＩＣレコーダ等の音声記録装置と通信可能な音声データ処理装置においても、音声メモの自動再生機能を利用することにより容易にスケジュール管理を行うことができ、また、複数の音声メモを処理装置上のアプリケーション上において視覚的に認識しやすい形で管理することもできる音声データ処理装置及び音声データ処理プログラムを提供することができる。
【図面の簡単な説明】
【図１】図１（Ａ）は本発明の一実施の形態に係る音声データ処理装置と通信接続される音声記録装置の内部構成を示すブロック図であり、図１（Ｂ）は本発明の一実施の形態に係る音声データ処理装置と音声記録装置とが通信接続される際の外観図である。
【図２】音声記録装置のメイン動作の制御手順を示すフローチャートである。
【図３】音声記録装置のメニュー選択表示画面を表示させた場合の説明図である。
【図４】メニュー選択表示画面上でスケジュール設定を選択した場合の説明図である。
【図５】表示器に通常表示される初期画面の説明図である。
【図６】スケジュールファイルのヘッダ構造に関する説明図である。
【図７】本発明の一実施の形態に係る音声データ処理プログラムによる制御手順を示すフローチャートである。
【図８】本発明の一実施の形態に係る音声データ処理装置におけるファイル管理データベースに関する説明図である。
【図９】本発明の一実施の形態に係る音声データ処理装置におけるスケジュール管理用アプリケーションソフトに関する第１の説明図である。
【図１０】本発明の一実施の形態に係る音声データ処理装置におけるスケジュール管理用アプリケーションソフトに関する第２の説明図である。
【図１１】スケジュール管理用アプリケーションソフトにおける音声のスケジュール再生日時の設定方法に関する説明図である。
【符号の説明】
１　マイクロホン（ＭＩＣ）
２，１０　増幅器（ＡＭＰ）
３，９　低域通過フィルタ（ＬＰＦ）
４　アナログ／デジタル（Ａ／Ｄ）変換器
５　デジタル信号処理部
６　システム制御部
７　記録媒体
８　デジタル／アナログ（Ｄ／Ａ）変換器
１１　スピーカ
１２　駆動回路
１３　表示器
１４　外部通信回路
１５ａ　メニュースイッチ（ＭＥＮＵ）
１５ｂ　フォルダスイッチ（ＦＯＬＤＥＲ）
１５ｃ　再生スイッチ（ＰＬＡＹ）
１５ｄ　録音スイッチ（ＲＥＣ）
１５ｅ　早送りスイッチ（ＦＦ）
１５ｆ　早戻しスイッチ（ＲＥＷ）
１５ｇ　消去スイッチ（ＥＲＡＳＥ）
２１　ＩＣレコーダ
２２　パーソナルコンピュータ（ＰＣ）
２３　接続ケーブル
【図１】
2004094113.tif 000003
【図２】
2004094113.tif 000004
【図３】
2004094113.tif 000005
【図４】
2004094113.tif 000006
【図５】
2004094113.tif 000007
【図６】
2004094113.tif 000008
【図７】
2004094113.tif 000009
【図８】
2004094113.tif 000010
【図９】
2004094113.tif 000011
【図１０】
2004094113.tif 000012
【図１１】
2004094113.tif 000013